(57)【要約】【課題】コンセント等の端子とスイッチとを備える配線器具であって、プラグ等の端子に接続される器具との干渉を引き起こしにくく、多くの端子を有する配線器具を提供する。【解決手段】配線器具１１の正面にはスイッチを操作するためのハンドル１１１１が配置され、配線器具１１の側面には複数のコンセント１１２が配置されている。配線器具１１は、取付枠１２に設けられた支持部１３により、コンセント１１２が施工面の奥に隠れる閉位置と、コンセント１１２が施工面からユーザ側に出て利用可能となる開位置との間を移動可能に支持される。【選択図】図１
2010148285.tif 000002
【特許請求の範囲】
【請求項１】
ユーザが操作するためのハンドルを有するスイッチと、ケーブルを接続するための端子とを一体に有する埋込型の配線器具と、
前記配線器具を施工面に取り付けるための取付枠と、
前記取付枠に固定された、もしくは前記取付枠に一体に設けられた、前記配線器具を支持する支持部と
を備え、
前記支持部は、前記配線器具を前記施工面に対し垂直方向の所定の移動範囲内において移動可能に支持し、
前記ハンドルは、前記取付枠が前記施工面に取り付けられ、かつ前記配線器具が前記支持部に支持されている状態において、前記配線器具が前記移動範囲内のいずれの位置にある場合においてもユーザが視認可能かつ操作可能な位置に配置されており、
前記端子は、前記取付枠が前記施工面に取り付けられ、かつ前記配線器具が前記支持部に支持されている状態において、前記配線器具が前記移動範囲内の所定の位置である開位置にある場合にはユーザが視認可能かつケーブルを接続可能であり、前記配線器具が前記移動範囲内の前記開位置とは異なる所定の位置である閉位置にある場合にはユーザが視認不可能かつケーブルを接続不可能である位置に配置されている
配線器具アセンブリ。
【請求項２】
ユーザが操作するためのハンドルを有するスイッチと、ケーブルを接続するための端子とを一体に有する埋込型の配線器具と、
前記配線器具を施工面に取り付けるための取付枠と、
前記取付枠に固定された、もしくは前記取付枠に一体に設けられた、前記配線器具を支持する支持部と
を備え、
前記支持部は、前記配線器具を前記施工面に平行の一の回転軸周りに所定の移動範囲内において移動可能に支持し、
前記ハンドルは、前記取付枠が前記施工面に取り付けられ、かつ前記配線器具が前記支持部に支持されている状態において、前記配線器具が前記移動範囲内のいずれの位置にある場合においてもユーザが視認可能かつ操作可能な位置に配置されており、
前記端子は、前記取付枠が前記施工面に取り付けられ、かつ前記配線器具が前記支持部に支持されている状態において、前記配線器具が前記移動範囲内の所定の位置である開位置にある場合にはユーザが視認可能かつケーブルを接続可能であり、前記配線器具が前記移動範囲内の前記開位置とは異なる所定の位置である閉位置にある場合にはユーザが視認不可能かつケーブルを接続不可能である位置に配置されている
配線器具アセンブリ。
【請求項３】
前記配線器具は少なくとも前記配線器具が前記開位置にある場合においてユーザに対し開口する開口部を備える収容空間を有し、
前記端子は前記収容空間の内壁上に配置される
請求項１または２に記載の配線器具アセンブリ。
【請求項４】
ユーザが操作するためのハンドルを有するスイッチと、ケーブルを接続するための端子とを一体に有する埋込型の配線器具と、
前記配線器具を施工面に取り付けるための取付枠と、
前記取付枠に固定された、もしくは前記取付枠に一体に設けられた、前記配線器具を支持する支持部と
を備え、
前記支持部は、前記配線器具を前記施工面に平行の一の回転軸周りに移動可能に支持し、
前記ハンドルは前記配線器具の一の面上に配置され、前記端子は前記配線器具の前記一の面と平行する他の面上に配置されている
配線器具アセンブリ。
【発明の詳細な説明】
【技術分野】
【０００１】
本発明は、埋込型の配線器具とその配線器具を施工面へ取り付けるための部品からなる配線器具アセンブリに関する。
【背景技術】
【０００２】
建物の壁等に照明器具等への電源供給のＯＮ／ＯＦＦを切り替えるためのスイッチを提供する埋込型の配線器具のあるものには、スイッチに並んだ位置に、コンセント等の端子を有しているものがある。
【０００３】
照明器具等のスイッチはその用途上、人目につく位置に配置されることが多い。その一方で、スイッチに並んでコンセント等の端子が配置されると、美観上望ましくないと感じるユーザが少なくない。
【０００４】
また、ユーザがスイッチのＯＮ／ＯＦＦを操作するためのハンドルの面積を広くとることで、ユーザによる操作性を高めたいというニーズがある。その一方で、コンセント等の端子が並置されると、配線器具のユーザに対する露出面のうち、コンセント等のために用いられる面積分だけハンドルの面積を小さくする必要があり、望ましくない。
【０００５】
上記の問題を解決する技術として、例えば特許文献１には、スイッチおよびコンセントの露出面に並置された第１のスイッチ用ハンドルおよびコンセントを外側から覆う第２のスイッチ用ハンドルを有し、コンセントが未使用の間は第２のスイッチ用ハンドルがコンセントを覆い隠すと同時に、第１のスイッチ用ハンドルと接して一体に動くことでユーザによるスイッチ操作を可能とし、ユーザがコンセントを使用したい場合には第２のスイッチ用ハンドルを開いてコンセントの使用をしつつ第１のスイッチ用ハンドルにてスイッチ操作を可能とする配線器具が開示されている。
【特許文献１】特開２００７−３１２５４７号公報  特許文献１に開示の配線器具（以下、単に「先行技術」と呼ぶ）によれば、コンセントの未使用時にはコンセントがユーザから見えず、美観が損なわれない。また、先行技術によれば、コンセントの未使用時には面積の広い第２のスイッチ用ハンドルによりスイッチ操作が可能となるため、操作性が損なわれない、という利点がある。
【発明の開示】
【発明が解決しようとする課題】
【０００６】
先行技術による場合、コンセントの使用時に開かれる第２のスイッチ用ハンドル（扉を兼ねる）がコンセントに差し込むプラグと干渉し邪魔になる場合がある。また、先行技術の一態様によれば、第２のスイッチ用ハンドルを施工面に対し垂直方向に設けられたスリットに差し込むことによりプラグとの干渉を無くすことが可能であるが、平板な第２のスイッチ用ハンドルをスリットに出し入れする動作を面倒に感じるユーザも少なくない。
【０００７】
また、埋込型の配線器具には、例えば大角形等の標準的なサイズがあり、施工面に埋設された埋込ボックスへの取り付けの互換性が保たれている。例えば、大角形の配線器具には日本のコンセントであれば通常、最大３つ配置できる。先行技術による場合、第１のスイッチ用ハンドルを配置するため、大角形の配線器具に最大２つまでしかコンセントの配置ができない。
【０００８】
本発明は、上記の状況に鑑み、コンセント等の端子とスイッチとを備える配線器具であって、先行技術に比較し、プラグ等の端子に接続される器具との干渉を引き起こしにくく、多くの端子を有する配線器具を提供することを目的とする。
【課題を解決するための手段】
【０００９】
上記課題を達成するために、本発明は、
ユーザが操作するためのハンドルを有するスイッチと、ケーブルを接続するための端子とを一体に有する埋込型の配線器具と、
前記配線器具を施工面に取り付けるための取付枠と、
前記取付枠に固定された、もしくは前記取付枠に一体に設けられた、前記配線器具を支持する支持部と
を備え、
前記支持部は、前記配線器具を前記施工面に対し垂直方向の所定の移動範囲内において移動可能に支持し、
前記ハンドルは、前記取付枠が前記施工面に取り付けられ、かつ前記配線器具が前記支持部に支持されている状態において、前記配線器具が前記移動範囲内のいずれの位置にある場合においてもユーザが視認可能かつ操作可能な位置に配置されており、
前記端子は、前記取付枠が前記施工面に取り付けられ、かつ前記配線器具が前記支持部に支持されている状態において、前記配線器具が前記移動範囲内の所定の位置である開位置にある場合にはユーザが視認可能かつケーブルを接続可能であり、前記配線器具が前記移動範囲内の前記開位置とは異なる所定の位置である閉位置にある場合にはユーザが視認不可能かつケーブルを接続不可能である位置に配置されている
配線器具アセンブリ
を提供する（第１の実施態様）。
【００１０】
上記の配線器具アセンブリによれば、ユーザは配線器具を開位置に移動させることによりコンセント等の端子を利用可能となる。その際、先行技術のような扉とプラグ等との干渉は生じない。また、閉位置と開位置との変位を大きくとることにより、端子を数多く配置することが可能となる。
【００１１】
また、本発明は、
ユーザが操作するためのハンドルを有するスイッチと、ケーブルを接続するための端子とを一体に有する埋込型の配線器具と、
前記配線器具を施工面に取り付けるための取付枠と、
前記取付枠に固定された、もしくは前記取付枠に一体に設けられた、前記配線器具を支持する支持部と
を備え、
前記支持部は、前記配線器具を前記施工面に平行の一の回転軸周りに所定の移動範囲内において移動可能に支持し、
前記ハンドルは、前記取付枠が前記施工面に取り付けられ、かつ前記配線器具が前記支持部に支持されている状態において、前記配線器具が前記移動範囲内のいずれの位置にある場合においてもユーザが視認可能かつ操作可能な位置に配置されており、
前記端子は、前記取付枠が前記施工面に取り付けられ、かつ前記配線器具が前記支持部に支持されている状態において、前記配線器具が前記移動範囲内の所定の位置である開位置にある場合にはユーザが視認可能かつケーブルを接続可能であり、前記配線器具が前記移動範囲内の前記開位置とは異なる所定の位置である閉位置にある場合にはユーザが視認不可能かつケーブルを接続不可能である位置に配置されている
配線器具アセンブリ
を提供する（第２の実施態様）。
【００１２】
上記の第１または第２の実施態様にかかる配線器具アセンブリによれば、ユーザは配線器具を開位置に移動させることによりコンセント等の端子を利用可能となる。その際、先行技術のような扉とプラグ等との干渉は生じない。また、閉位置と開位置との変位を大きくとることにより、端子を数多く配置することが可能となる。
【００１３】
上記の第１または第２の実施態様にかかる配線器具アセンブリにおいて、
前記配線器具は少なくとも前記配線器具が前記開位置にある場合においてユーザに対し開口する開口部を備える収容空間を有し、
前記端子は前記収容空間の内壁上に配置される
構成としてもよい（第３の実施態様）。
【００１４】
上記の第３の実施態様にかかる配線器具アセンブリによれば、ユーザは例えば携帯電話等の機器を収容空間に収容しつつその機器に対する充電を行ったり、その機器と他の通信機器との間のデータ通信を可能としたりすることができる。
【００１５】
また、本発明は、
ユーザが操作するためのハンドルを有するスイッチと、ケーブルを接続するための端子とを一体に有する埋込型の配線器具と、
前記配線器具を施工面に取り付けるための取付枠と、
前記取付枠に固定された、もしくは前記取付枠に一体に設けられた、前記配線器具を支持する支持部と
を備え、
前記支持部は、前記配線器具を前記施工面に平行の一の回転軸周りに移動可能に支持し、
前記ハンドルは前記配線器具の一の面上に配置され、前記端子は前記配線器具の前記一の面と平行する他の面上に配置されている
配線器具アセンブリ
を提供する（第４の実施態様）。
【００１６】
上記の第４の実施態様にかかる配線器具アセンブリによれば、ユーザは配線器具を回転させることにより、スイッチとコンセント等の端子との使用を選択できる。その際、先行技術のような扉とプラグ等との干渉は生じない。また、スイッチのハンドルとコンセント等の端子とは配線器具の異なる面上に各々配置されるため、スイッチのハンドルを配置するためにコンセント等の端子の数を減らす必要がない。
【発明を実施するための最良の形態】
【００１７】
［１．第１実施形態］
図１および図２は、本発明にかかる一実施形態である配線器具アセンブリ１の外観を模式的に示した図である。なお、図１および図２は配線器具アセンブリ１の特徴を説明するために必要な部分のみを図示し、その他については省略している。
【００１８】
配線器具アセンブリ１は、壁や家具等の施工面の内側に埋設された埋込ボックス等に設けられたネジ穴に対しネジ止めされる埋込型の配線器具アセンブリである。配線器具アセンブリ１は、配線器具１１と、配線器具１１を施工面に取り付けるための取付枠１２と、配線器具１１を施工面に対し垂直方向に所定の範囲内で移動可能に支持する支持部１３と、配線器具１１の奥側面を取付枠１２方向に引き寄せる張力を加える引張コイルバネ１４とを備えている。
【００１９】
配線器具１１はユーザの操作に応じて、施工面からユーザ側に最も突き出した位置である開位置と、ユーザ側から見て施工面の奥方向に最も埋没した位置である閉位置との間で施工面に対し垂直方向に移動可能である。
【００２０】
図１（ａ）は閉位置における配線器具アセンブリ１を左斜め上方から見た図、図１（ｂ）は開位置における配線器具アセンブリ１を左斜め上方から見た図、図２（ａ）は配線器具アセンブリ１を正面から見た図、図２（ｂ）は閉位置における配線器具アセンブリ１を左側面から見た図、図２（ｃ）は開位置における配線器具アセンブリ１を左側面から見た図、図２（ｄ）は開位置における配線器具アセンブリ１を上から見た図である。
【００２１】
配線器具１１は、照明器具等のＯＮ／ＯＦＦを行うためのスイッチ１１１と、複数のコンセント１１２と、携帯電話に対し充電用の電気を供給する端子１１３とを備えている。
【００２２】
スイッチ１１１は配線器具１１の正面上に配置され、ユーザがＯＮ／ＯＦＦの操作を行う平板なハンドル１１１１と、ハンドル１１１１の正面から見て中央右の位置１１１１ａの裏面に配置されたスイッチ本体（図示略）とを備えている。ハンドル１１１１はユーザの位置１１１１ａに対する押下に応じて左辺を回転軸とし回動しつつ、スイッチ本体の表面に設けられハンドル１１１１の裏面に接する操作子１１１２を押し込む。スイッチ本体は操作子１１１２が押し込まれるごとに内蔵されている接点装置をＯＮ／ＯＦＦする。
【００２３】
複数のコンセント１１２は配線器具１１の左側面上および右側面上に配置されている。従って、コンセント１１２は閉位置において施工面の内側に埋没しユーザから視認されないが、開位置において施工面よりユーザ側に突き出した左側面および右側面に現れることで、ユーザによるプラグの抜き差しが可能となる。
【００２４】
配線器具１１には、上面に開口部を有する収容空間１１４が設けられており、端子１１３は収容空間１１４の底面上に配線器具１１本体から着脱可能に配置されている。ユーザの携帯電話の機種に応じた端子１１３が配線器具１１本体に装着された場合、携帯電話が収容空間１１４内に配置された際に携帯電話の電源端子と端子１１３とが接続され、携帯電話に対しする充電用の電気供給が可能となる。なお、携帯電話が収容空間１１４内に全て収容されるサイズである場合、配線器具１１は携帯電話を収容空間１１４に収容したまま閉位置に移動可能である。
【００２５】
取付枠１２には、取付枠１２を施工面に埋設された埋込ボックスのネジ穴に対し固定するネジを通すためのネジ穴１２１と、取付枠１２の正面を覆いユーザから取付枠１２を隠す化粧プレートを取付枠１２に対し固定するネジを通すためのネジ穴１２２が設けられている。
【００２６】
支持部１３は、取付枠１２から施工面の垂直奥方向に延伸するように設けられた３本のガイドバー１３１ａ〜ｃからなる。なお、支持部１３はガイドバーに限られず、例えば矩形筒状のガイドボックスなど、配線器具１１を施工面に対し垂直方向に移動可能に支持できるものであれば如何なる構造のものであってもよい。
【００２７】
ガイドバー１３１の各々の配線器具１１に接する面には、配線器具１１を滑らかに移動可能とするために、例えば移動方向に列をなすようにボールが配列されたベアリングが設けられている。また、配線器具１１を底面から支持するガイドバー１３１ｂの奥側の端部には、配線器具１１を開位置方向に引っ張るための引張コイルバネ１４の一方の端を取り付けるフック（図示略）が設けられている。
【００２８】
配線器具１１の底面には、奥側の辺上から下方に延伸するように突起部１１５が設けられている。突起部１１５の正面側の中央、すなわちガイドバー１３１ｂに対向する位置には、引張コイルバネ１４の他方の端を取り付けるフック（図示略）が設けられている。
【００２９】
配線器具１１の右側面、底面および左底面には、ガイドバー１３１ａ〜ｃを各々受容するガイド溝１１６ａ〜ｃが設けられている。ガイド溝１１６ａおよびｃ内には各々、閉位置において引張コイルバネ１４の張力により開位置に向かおうとする配線器具１１を閉位置に固定するための突起部１１７ａおよびｂが設けられている。
【００３０】
突起部１１７は、ハンドル１１１１の正面から見て中央左の位置１１１１ｂの裏面に接するように配置された操作子１１８が押し込まれるごとにガイド溝１１６ａおよびｃの底面からの突出と底面下への埋没とを交互に繰り返す。ハンドル１１１１はユーザの位置１１１１ｂに対する押下に応じて右辺を回転軸とし回動しつつ、操作子１１８を押し込む。
【００３１】
上記のような突起部１１７の動作により、配線器具１１が閉位置においてユーザがハンドル１１１１の位置１１１１ｂを押下すると、突起部１１７がガイド溝１１６の底面下へ埋没し、配線器具１１が引張コイルバネ１４の張力により施工面から突き出し、開位置に移動する。また、配線器具１１が開位置においてユーザがハンドル１１１１の位置１１１１ｂを押下しつつ配線器具１１を閉位置まで移動させた後、ハンドル１１１１に対する押下を止めると、突起部１１７がガイド溝１１６の底面から突出し、ガイドバー１３１ａおよびｃをその位置に固定することにより、配線器具１１が閉位置で停止する。
【００３２】
以上述べたように、配線器具アセンブリ１によれば、ユーザはハンドル１１１１の位置１１１１ｂへの押下操作によって配線器具１１の位置を閉位置と開位置との間で切り替えることができる。閉位置においてはコンセント等の端子が施工面の奥に埋没するため美観が損なわれることなく、開位置においてはコンセント等の端子が現れそれらの利用が可能となる。なお閉位置および開位置のいずれにおいても、ユーザはハンドル１１１１の位置１１１１ａを押下することにより照明器具等のＯＮ／ＯＦＦを行うことができる。
【００３３】
また、配線器具アセンブリ１によれば、携帯電話を収容空間１１４に収容し、携帯電話の充電を行うことができる。携帯電話や携帯ゲーム機等の携帯機器は常時電源ケーブルに接続して用いるものではないため、非充電時に電源ケーブルが邪魔になる場合が多い。配線器具アセンブリ１によれば、そのような不便が解消される。
【００３４】
［２．第２実施形態］
図３および図４は、本発明にかかる他の一実施形態である配線器具アセンブリ２の外観を模式的に示した図である。なお、図３および図４は配線器具アセンブリ２の特徴を説明するために必要な部分のみを図示し、その他については省略している。
【００３５】
配線器具アセンブリ２は配線器具アセンブリ１と比較し、配線器具１１の移動の方向が施工面に平行の回転軸周りである点と、配線器具アセンブリ１が備えている収容空間１１４および端子１１３を備えていない点が異なっている。配線器具アセンブリ２に関する他の点は、多くが配線器具アセンブリ１と共通している。従って、以下に配線器具アセンブリ２が配線器具アセンブリ１と異なっている点のみを説明する。なお、図３および図４において、配線器具アセンブリ１と配線器具アセンブリ２が共通に備える構成部には図１および図２における符号と同じ符号が用いられている。
【００３６】
図３（ａ）は閉位置における配線器具アセンブリ２を左斜め上方から見た図、図３（ｂ）は開位置における配線器具アセンブリ２を左斜め上方から見た図、図４（ａ）は配線器具アセンブリ２を正面から見た図、図４（ｂ）は閉位置における配線器具アセンブリ２を左側面から見た図、図４（ｃ）は開位置における配線器具アセンブリ２を左側面から見た図、図４（ｄ）は開位置における配線器具アセンブリ２を下から見た図である。
【００３７】
配線器具アセンブリ２が備える支持部１３は、取付枠１２に設けられた矩形の開口部の上辺近くの当該上辺と平行な直線を回転軸とする配線器具１１の回転軸周りの移動を所定の範囲内で可能としつつ支持する。そのため、支持部１３は回転軸周りに円弧を描く方向に取付枠１２から延伸し配線器具１１を右側面および左側面から各々回動可能に支持するガイドバー１３１ａおよびｃと、取付枠１２の矩形の開口部の上辺両端の各々から施工面に垂直奥方向に延伸するように設けられた軸受部１３２ａおよびｂとを備えている。
【００３８】
配線器具アセンブリ２が備える配線器具１１は底面をそれぞれ右側面および左側面とする扇形柱の形状をしている。従って、扇形柱が有する側面のうち平面をなす一の側面が配線器具１１の正面となり、その正面上にハンドル１１１１が配置されている。また、配線器具１１の側面および底面、すなわち扇形柱の底面および扇形が有する湾曲面をなす側面には各々、コンセント１１２が配置されている。
【００３９】
配線器具１１の正面上辺の両端付近には、配線器具１１の右側面から右方向に突出する軸１１９ａと、配線器具１１の左側面から左方向に突出する軸１１９ｂとが設けられている。軸１１９ａおよびｂは各々、軸受部１３２ａおよびｂが備える軸受穴に受容され、軸受部１３２ａおよびｂとともに、配線器具１１本体を回転軸周りに回動可能に支持する。
【００４０】
なお、配線器具アセンブリ２の支持部１３は配線器具アセンブリ１におけるガイドバー１３１ｂ（配線器具１１を底面において支持する）は備えず、配線器具アセンブリ２の配線器具１１は配線器具アセンブリ１におけるガイド溝１１６ｂ（配線器具１１の底面に設けられガイドバー１３１ｂを受容する）は備えない。
【００４１】
配線器具アセンブリ２は、配線器具アセンブリ１における引張コイルバネ１４に代えて、配線器具１１を回転軸周りに開方向へ押し上げる張力を生じるねじりコイルバネ１５ａおよびｂを備えている。軸受部１３２ａおよびｂからは各々、施工面に対し垂直奥方向に延伸するようにバネ支持部１３３ａおよびｂが設けられている。ねじりコイルバネ１５ａおよびｂはそのコイル部の中心を軸１１９ａおよびｂが貫通するように軸１１９ａおよびｂに取り付けられ、軸受部１３２ａおよびｂと配線器具１１の本体とに挟まれて脱落しないようになっている。
【００４２】
ねじりコイルバネ１５ａの一方の端部はバネ支持部１３３ａに支えられ、ねじりコイルバネ１５ｂの一方の端部はバネ支持部１３３ｂに固定され支えられている。ねじりコイルバネ１５ａおよびｂの他方の端部は配線器具１１の奥の面、すなわち扇形柱の平面をなす側面のうち、ハンドル１１１１が配置されている正面ではない方の面に固定されている。その結果、ねじりコイルバネ１５ａおよびｂは配線器具１１に対し配線器具１１を回転軸周りに押し上げる方向の力を生じる。
【００４３】
配線器具アセンブリ２においては、閉位置において配線器具１１を停止させるための突起部１１７をガイド溝１１６の底面から突出させ、またその底面下に埋没させるための操作子１１８は、ユーザが開位置にある配線器具１１を閉位置まで押し込み易くするために、ハンドル１１１１の正面から見て左下部の位置１１１１ｂの裏面に配置されている。
【００４４】
以上の構成を備える配線器具アセンブリ２によっても、配線器具アセンブリ１と同様の効果が得られる。
【００４５】
［３．第３実施形態］
図５および図６は、本発明にかかるさらに他の一実施形態である配線器具アセンブリ３の外観を模式的に示した図である。なお、図５および図６は配線器具アセンブリ３の特徴を説明するために必要な部分のみを図示し、その他については省略している。
【００４６】
配線器具アセンブリ３は配線器具アセンブリ２と同様に回転軸周りに回動する配線器具１１を備えている。ただし、配線器具アセンブリ３においては、配線器具１１の回転軸は取付枠１２の矩形の開口部の中心付近を通り、施工面に平行かつ縦方向の直線である点が配線器具アセンブリ２と異なっている。配線器具アセンブリ３の配線器具１１は平板な形状を有し、回転軸が取付枠１２の左右方向の中心に位置するため、回転軸周りに１８０度回動することにより表面と裏面が入れ替わる。
【００４７】
配線器具アセンブリ３の配線器具１１においては、配線器具１１のハンドル１１１１が配置される面を表面とした場合の裏面にコンセント１１２が配置されている。従って、ユーザは配線器具１１を１８０度回動させることにより、ハンドル１１１１に対する操作とコンセント１１２の利用とを選択的に切り替えることができる。以下、説明の便宜上、ハンドル１１１１の配置面が正面である配線器具１１の位置を閉位置、コンセント１１２の配置面が正面である配線器具１１の位置を開位置と呼ぶ。
【００４８】
上記の点を除き、配線器具アセンブリ３が備える構成は多くの点で配線器具アセンブリ２と共通している。従って、以下に配線器具アセンブリ３が配線器具アセンブリ２と異なっている点のみを説明する。なお、図５および図６において、配線器具アセンブリ２と配線器具アセンブリ３が共通に備える構成部には図３および図４における符号と同じ符号が用いられている。
【００４９】
図５（ａ）は閉位置における配線器具アセンブリ３を左斜め上方から見た図、図５（ｂ）は開位置における配線器具アセンブリ３を左斜め上方から見た図、図６（ａ）は閉位置における配線器具アセンブリ３を正面から見た図、図６（ｂ）は開位置における配線器具アセンブリ３を正面から見た図、図６（ｃ）は閉位置における配線器具アセンブリ３を左側面から見た図、図６（ｄ）は閉位置における配線器具アセンブリ３を上から見た図、図６（ｅ）は開位置における配線器具アセンブリ３を上から見た図である。
【００５０】
配線器具アセンブリ３が備える支持部１３は、取付枠１２の上部中央から施工面の垂直奥方向に延伸するように設けられた軸支持部１３４ａと、取付枠１２の下部中央から施工面の垂直奥方向に延伸するように設けられた軸支持部１３４ｂと、軸支持部１３４ａから下方に延伸するように設けられた円筒形状の軸１３５ａと、軸支持部１３４ｂから上方に延伸するように設けられた円筒形状の軸１３５ｂとを備えている。
【００５１】
軸１３５ａの内面にはスイッチ１１１に接続される照明器具等の一方の極が接続される端子と、コンセント１１２に接続される電源の一方の極が接続される端子が設けられている。また、軸１３５ｂの内面にはスイッチ１１１に接続される照明器具等の他方の極が接続される端子と、コンセント１１２に接続される電源の他方の極が接続される端子が設けられている。
【００５２】
配線器具１１の上部には軸１３５ａを受容するための、上部が開口した円筒形状の軸受凹部１１０ａが設けられている。同様に、配線器具１１の下部には軸１３５ｂを受容するための、下部が開口した円筒形状の軸受凹部１１０ｂが設けられている。軸受凹部１１０ａおよびｂの軸１３５ａおよびｂと接する面には、配線器具１１を滑らかに回動可能とするために、例えば回動方向に列をなすようにボールが配列されたベアリングが設けられている。
【００５３】
また、軸受凹部１１０ａおよびｂの軸１３５ａおよびｂと接する面には、配線器具１１の回動の全範囲において軸１３５ａおよびｂの内面に設けられた端子の各々に対応し、それらと通電するリング状の端子が設けられており、それらのリング状の端子は、スイッチ１１１およびコンセント１１２に接続されている。
【００５４】
軸１３５ａの周りには、コイルの中心を軸１３５ａが貫通するようにねじりコイルバネ１６ａが取り付けられ、軸支持部１３４ａと配線器具１１の本体上面に挟まれる形で脱落しないようになっている。同様に、軸１３５ｂの周りには、コイルの中心を軸１３５ｂが貫通するようにねじりコイルバネ１６ｂが取り付けられ、軸支持部１３４ｂと配線器具１１の本体下面に挟まれる形で脱落しないようになっている。
【００５５】
ねじりコイルバネ１６の一方の端部は配線器具１１の上面もしくは下面に固定され、ねじりコイルバネ１６の他方の端部は取付枠１２の背面側で支持されている。その結果、ねじりコイルバネ１６は配線器具１１が閉位置において配線器具１１を開位置に回動させる方向に力を生じている。
【００５６】
配線器具１１の本体側面の片方には、縦方向を長手方向とし互いに平行する２列の突起部１１５ａおよびｂが設けられている。突起部１１５ａは、ユーザが配線器具１１を閉位置まで回動させる際に配線器具１１が閉位置を超えて回動することのないように、閉位置において取付枠１２の背面にぶつかる位置に設けられている。また、突起部１１５ｂは、ユーザがハンドル１１１１の位置１１１１ｂを押下し、突起部１１７による配線器具１１の固定が解かれた時に、配線器具１１がねじりコイルバネ１６の力により開位置を超えて回動することのないように、開位置において取付枠１２の背面にぶつかる位置に設けられている。
【００５７】
配線器具アセンブリ３における突起部１１７は、突起部１１５ａおよびｂの配置面と反対側の面上に、閉位置において取付枠１２の背面に接する位置に配置され、閉位置においてねじりコイルバネ１６の力に逆らい配線器具１１の位置を固定する。配線器具アセンブリ３の突起部１１７は配線器具アセンブリ２の突起部１１７と異なり、ハンドル１１１１の位置１１１１ｂに対する押下に伴い操作子１１８が押し込まれている間は配線器具１１の本体内に埋没し、操作子１１８が押し込まれていない間は配線器具１１の本体表面から突出する。
【００５８】
ユーザは開位置において、ハンドル１１１１の位置１１１１ａを押下することにより、照明器具等のＯＮ／ＯＦＦを行うことができる。ユーザはコンセント１１２を利用したい場合、ハンドル１１１１の位置１１１１ｂを押下する。その押下により、突起部１１７による配線器具１１の固定が解かれ、配線器具１１が１８０度回動し、開位置に達して止まる。その状態でユーザはコンセント１１２を利用可能となる。コンセント１１２の使用が終了した場合、ユーザは開位置における正面の位置１１ａを押しつつ配線器具１１を１８０度回動させる。その回動に伴い、突起部１１７は取付枠１２の表面側にぶつかり、取付枠１２により押し下げられ配線器具１１の本体内に埋没し、取付枠１２の裏面に達した後に再度、配線器具１１本体より突出して配線器具１１を閉位置に固定する。
【００５９】
なお、ユーザが開位置から閉位置に至るまで配線器具１１を回動する際に、ハンドル１１１１の位置１１１１ａを押下すると、意図せずスイッチ１１１のＯＮ／ＯＦＦが行われ、不都合である。その不都合を回避するため、配線器具１１には閉位置においてのみ取付枠１２により押下される操作子（図示略）が設けられ、その操作子が押下されていない間、すなわち閉位置にない間、スイッチ１１１の操作子１１１２はロックされる。
【００６０】
以上述べたように、配線器具アセンブリ３によれば、ユーザは位置１１１１ｂおよび位置１１ａへの押下操作によって配線器具１１の位置を閉位置と開位置との間で切り替えることができる。閉位置においてはコンセント等の端子が施工面の奥に埋没するため美観が損なわれることなく、開位置においてはコンセント等の端子が現れそれらの利用が可能となる。
【００６１】
なお、配線器具アセンブリ３による場合、開位置においてユーザは照明器具等のＯＮ／ＯＦＦを行うことはできない。そのため、ユーザは照明器具等をＯＮ／ＯＦＦしたい場合、ハンドル１１１１を表面にするために必ずコンセント等の端子からケーブルを外すことになる。従って、例えば洗面所の照明器具のスイッチと一体に設けられたコンセントに対しドライヤーのプラグを差し込む場合などは、ユーザが洗面所から退室する際に通常、照明器具のスイッチをＯＦＦしようとするため、ドライヤーのプラグの抜き忘れが防止される、という効果も得られる。
【００６２】
［４．変形例］
上述した実施形態は、本発明の技術的思想の範囲内で様々に変形することができる。以下に変形例を示す。
【００６３】
上述した実施形態においては、配線器具１１はコンセントおよび携帯電話に対する電気供給端子を備えるものとして説明したが、配線器具１１は備える端子はそれらに限られない。他の端子の例として汎用的なものとしては、テレビのアンテナ端子、ＬＡＮケーブルのモジュラージャック、電話ケーブルのモジュラージャック等があるが、上述した実施形態において、配線器具１１はコンセント１１２に代えて、もしくは加えて、それらの端子のいずれを備えてもよい。また、配線器具１１は複数種類の端子を混在して備えてもよい。
【００６４】
特に近年、ノートパソコンによるテレビ視聴が可能となっているが、良い画質でテレビ視聴を行うためにはノートパソコンにアンテナ信号を入力するためのアンテナ端子が見つからないことがある。ノートパソコンによるテレビ視聴のように、常時アンテナケーブルを接続するわけではないが一時的にアンテナ端子を利用したいような場合、本発明にかかる配線器具がそのための端子を備えていると便利である。
【００６５】
上述した配線器具アセンブリ２において、配線器具１１が収容空間１１４を備え、その底面に何らかの端子を配置する構成としてもよい。
【００６６】
上述した配線器具アセンブリ２において、配線器具１１の回動における回転軸の位置は施工面に平行であれば、任意に変更可能である。例えば、取付枠１２の中心付近を通る横方向の直線を回転軸とし、正面上部を押せば配線器具１１の下部が突出し下面に設けられたコンセント１１２が使用可能となり、正面下部を押せば配線器具１１の上部が突出し上面に設けられたコンセント１１２が使用可能となる構成としてもよい。
【００６７】
上述した配線器具アセンブリ２において、横方向の回転軸に代えて縦方向の回転軸を採用してもよい。同様に、配線器具アセンブリ３において、縦方向の回転軸に代えて横方向の回転軸を採用してもよい。
【００６８】
上述した実施形態においては、バネにより閉位置から開位置に向かう方向に力が加えられるものとしたが、開位置から閉位置に向かう方向に力が加えられる構成としてもよい。また、バネに代えて、他の機構により閉位置から開位置、もしくは開位置から閉位置への力を生じさせてもよい。さらに、バネ等を用いることなく、ユーザの加える力によってのみ、閉位置と開位置の切り替えを行うようにしてもよい。
【００６９】
上述した実施形態における支持部１３の構成、配線器具１１を閉位置もしくは開位置において停止させるための構成等はいずれも例示であって、他の代替的な構成を本発明において採用してもよい。
【図面の簡単な説明】
【００７０】
【図１】本発明の第１実施形態にかかる配線器具アセンブリの外観を模式的に示した図である。
【図２】本発明の第１実施形態にかかる配線器具アセンブリの外観を模式的に示した図である。
【図３】本発明の第２実施形態にかかる配線器具アセンブリの外観を模式的に示した図である。
【図４】本発明の第２実施形態にかかる配線器具アセンブリの外観を模式的に示した図である。
【図５】本発明の第３実施形態にかかる配線器具アセンブリの外観を模式的に示した図である。
【図６】本発明の第３実施形態にかかる配線器具アセンブリの外観を模式的に示した図である。
【符号の説明】
【００７１】
１…配線器具アセンブリ、２…配線器具アセンブリ、３…配線器具アセンブリ、１１…配線器具、１２…取付枠、１３…支持部、１４…引張コイルバネ、１５…ねじりコイルバネ、１６…ねじりコイルバネ、１１０…軸受凹部、１１１…スイッチ、１１２…コンセント、１１３…端子、１１４…収容空間、１１５…突起部、１１６…ガイド溝、１１７…突起部、１１８…操作子、１１９…軸、１２１…ネジ穴、１２２…ネジ穴、１３１…ガイドバー、１３２…軸受部、１３３…バネ支持部、１３４…軸支持部、１３５…軸、１１１１…ハンドル、１１１２…操作子。
【図１】
2010148285.tif 000003
【図２】
2010148285.tif 000004
【図３】
2010148285.tif 000005
【図４】
2010148285.tif 000006
【図５】
2010148285.tif 000007
【図６】
2010148285.tif 000008